(57)【要約】【課題】  この発明は、無線再配信システムによって供給されるＴＶ放送信号と、直接受信システムによって供給されるＴＶ放送信号とのうち、受信品質の高いＴＶ放送信号を再生できるようになる地上波デジタルＴＶ放送の受信システムを提供することを目的とする。【解決手段】  屋外アンテナで受信した地上波デジタルＴＶ放送信号をＴＶ受信機に無線再送信する無線再配信システム、および地上波デジタルＴＶ放送信号を室内アンテナ経由で直接ＴＶ受信機に入力する直接受信システムを備え、上記ＴＶ受信機は、上記無線再配信システムによって供給されるＴＶ放送信号と、上記直接受信システムによって供給されるＴＶ放送信号のうち、受信品質の高いＴＶ放送信号を選択する選択手段、および上記選択手段によって選択されたＴＶ放送信号を再生する再生手段を備えている。【選択図】  図６
2006074268.tif 000002
【特許請求の範囲】
【請求項１】
屋外アンテナで受信した地上波デジタルＴＶ放送信号をＴＶ受信機に無線再送信する無線再配信システム、および
地上波デジタルＴＶ放送信号を室内アンテナ経由で直接ＴＶ受信機に入力する直接受信システムを備え、
上記ＴＶ受信機は、上記無線再配信システムによって供給されるＴＶ放送信号と、上記直接受信システムによって供給されるＴＶ放送信号のうち、受信品質の高いＴＶ放送信号を選択する選択手段、および上記選択手段によって選択されたＴＶ放送信号を再生する再生手段を備えていることを特徴とする地上波デジタルＴＶ放送の受信システム。
【請求項２】
上記選択手段は、上記無線再配信システムによって供給されるＴＶ放送信号の受信信号レベルと、上記直接受信システムによって供給されるＴＶ放送信号の受信信号レベルとを比較することにより、受信品質の高いＴＶ放送信号を選択するものであることを特徴とする請求項１に記載の地上波デジタルＴＶ放送の受信システム。
【請求項３】
上記選択手段は、上記無線再配信システムによって供給されるＴＶ放送信号の受信信号誤り率と、上記直接受信システムによって供給されるＴＶ放送信号の受信信号誤り率とを比較することにより、受信品質の高いＴＶ放送信号を選択するものであることを特徴とする請求項１に記載の地上波デジタルＴＶ放送の受信システム。
【請求項４】
上記無線再配信システムは、屋外アンテナで受信した地上波デジタルＴＶ放送信号をＶＨＦ帯の空きチャンネルの周波数に周波数変換した後、増幅して無線送信する送信機、および
上記送信機から送信される信号を受信して増幅した後、上記ＴＶ受信機に供給する受信機、
を備えていることを特徴とする請求項１、２および３のいずれかに記載の地上波デジタルＴＶ放送の受信システム。
【請求項５】
上記送信機は、屋外アンテナで受信した地上波デジタルＴＶ放送信号をＶＨＦ帯の空きチャンネルであって、３２２ＭＨｚ以下の周波数に周波数変換した後、増幅して無線送信するものであることを特徴とする請求項４に記載の地上波デジタルＴＶ放送の受信システム。
【発明の詳細な説明】
【技術分野】
【０００１】
この発明は、地上波デジタルＴＶ放送の受信システムに関する。
【背景技術】
【０００２】
日本の地上波デジタルＴＶ放送は、２００３年１２月１日より関東、中京、近畿の三大都市圏で放送が開始されている。地上波デジタルＴＶ放送は、マルチパス干渉に強いＯＦＤＭ（直交周波数分割多重）方式を採用しており、アナログＴＶ放送などで発生していた画像の多重映り（ゴースト障害）がほとんどなく安定した高画質受信ができる。地上波デジタルＴＶ放送は、ＵＨＦ帯（４７０〜７７０ＭＨｚ）で放送されている。
【０００３】
地上波デジタルＴＶ放送を地上波デジタルＴＶ受信機で受信する形態としては、一般的には、次のようなものがある。
【０００４】
（１）  屋外アンテナによって地上波デジタルＴＶ放送信号を受信する。屋外アンテナによって受信された地上波デジタルＴＶ放送信号を、アンテナケーブルによって各部屋に分配し、各部屋の壁面に設けられているＴＶ端子に導く。そして、各部屋の壁面に設けられているＴＶ端子に、地上波デジタルＴＶ受信機のアンテナ端子をアンテナケーブルを介して接続する。
このような受信形態では、壁面に設けられているＴＶ端子に、地上波デジタルＴＶ受信機のアンテナ端子をアンテナケーブルを用いて接続する必要があるため、美観を損なうとともに、その配線が煩わしいという問題がある。また、ＴＶ受信機のレイアウトが制限されるため、ＴＶ受信機の設置位置の自由度が阻害されるという問題がある。
【０００５】
（２）  屋上（屋根の上）にアンテナを設置せずに、軒先やベランダにＵＨＦアンテナ（例えば、ＵＤＭＦ６２：日本アンテナ製）を設置し、そこからアンテナケーブルを屋内に引き込み、地上波デジタルＴＶ受信機のアンテナ端子に直接接続する。
このような受信形態においても、アンテナケーブルを部屋の中に引き込んで、地上波デジタルＴＶ受信機に接続する必要があるため、美観を損なうとともに、その配線が煩わしいという問題がある。また、ＴＶ受信機のレイアウトが制限されるため、ＴＶ受信機の設置位置の自由度が阻害されるという問題がある。
【０００６】
（３）  地上波デジタルＴＶ受信機に接続された室内アンテナで地上波デジタルＴＶ放送信号を受信する。
このような受信形態では、アンテナケーブルの配線に起因するＴＶ受信機のレイアウトに対する制限がなくなるが、室内での電波遮断ロスが生じるという問題がある。特に、地上波デジタルＴＶ放送信号で使われるＵＨＦ帯は、地上波アナログＴＶ放送で利用されているＶＨＦ帯に比べて建造物通過時の減衰ロスが大きいため、受信感度の観点からＴＶ受信機の設置位置が制限されるという問題がある。
【０００７】
そこで、屋内に入力される地上波デジタルＴＶ放送信号を、無線送信機によって増幅して、ＴＶ受信機に無線で再送信する室内再送信システムが開発されている（特開２００４−１２８７１９号公報、特開２００４−１２７２０号公報参照）。この室内再送信システムでは、屋内に入力されるＵＨＦ帯の地上波デジタルＴＶ放送信号を周波数変換することなく、そのまま増幅して再送信している。
【０００８】
ＵＨＦ帯の周波数帯では、後述するように、無線送信機の送信出力レベルが非常に低いレベルに制限されているため、伝送距離はほとんど近距離伝送しかできないという問題がある。
【０００９】
また、放送局から送出される直接放送電波と、無線送信機から送出される再送信電波の両波が室内受信アンテナから受信入力された場合、同じ周波数チャンネルの信号がＴＶ受信機に入力されることとなり、同一チャンネルの干渉妨害が発生して、受信できなくなるケースが発生する。
【００１０】
これを防止するために、地上波デジタルＴＶ放送信号の同一チャンネル妨害による劣化を防ぐような工夫が、別途アンテナや回路に必要となるという問題がある。
【特許文献１】特開２００４−１２８７１９号公報
【特許文献２】特開２００４−１２７２０号公報
【発明の開示】
【発明が解決しようとする課題】
【００１１】
そこで、本出願人は、送信機側で周波数変換を行うことにより、地上波デジタルＴＶ放送信号の同一チャンネルの干渉妨害の発生を防止でき、しかも受信機側で周波数変換が不要となる地上波デジタルＴＶ放送用の無線再配信システム（本出願時点では公知となっていない）を開発した。
【００１２】
以下、本出願人が開発した地上波デジタルＴＶ放送用の無線再配信システムについて説明する。
【００１３】
この無線再配信システムは、次のような実情（１）、（２）を利用してなされたものである。
【００１４】
（１）  後述するように、地上波デジタルＴＶ放送用の据え置き型ＴＶ受信機は、ＵＨＦ帯に加えて、ＶＨＦ＿Ｌｏｗ／Ｈｉｇｈ帯（ＶＨＦ１ｃｈ〜ＶＨＦ１２ｃｈ）、ＶＨＦ＿ＭＩＤ帯（Ｃ１３ｃｈ〜Ｃ２２ｃｈ）およびＶＨＦ＿ＳＨＢ帯（Ｃ２３ｃｈ〜Ｃ６３ｃｈ）をも受信可能となるように設計されていることが多いと考えられる。
【００１５】
（２）  また、後述するように、微弱電波規格では、３２２ＭＨｚ以下及び１５０ＧＨｚ以上の周波数帯に対する電界強度の制限は、３２２ＭＨｚから１５０ＧＨｚの周波数帯に対する電界強度の制限に比べて緩くなっている。
【００１６】
本出願人が開発した地上波デジタルＴＶ放送用の無線再配信システムは、地上波デジタルＴＶ放送信号の周波数帯であるＵＨＦ帯のＴＶ放送信号の他に、ＶＨＦ帯のＴＶ放送信号を受信可能なＴＶ受信機と、再配信用の送信機と、再配信用の受信機とを備えている。      
【００１７】
再配信用の送信機は、屋外アンテナから入力された地上波デジタルＴＶ放送信号を、３２２ＭＨｚ以下のＶＨＦ帯の空きチャンネルの周波数に一括して周波数変換した後、増幅して無線送信する。再配信用の受信機は、送信機から送信される信号を受信して増幅した後、ＴＶ受信機に供給する。ＴＶ受信機では、ＶＨＦのチャンネルを指定することによって、地上波デジタルＴＶ放送を視聴する。
【００１８】
しかしながら、比較的強電界地域の一般家庭においては、室内のＴＶ受信機の設置場所によっては、このような再送信システムを利用しなくても、地上波デジタルＴＶ放送信号を直接室内アンテナで受信することによって、ＴＶ受信機で再生できる十分な受信信号レベルを確保できる場合がある。このような場合には、地上波デジタルＴＶ放送信号を直接室内アンテナで受信して再生することが望ましい。
【００１９】
この発明は、屋外アンテナで受信した地上波デジタルＴＶ放送信号をＴＶ受信機に無線再送信する無線再配信システムによって供給されるＴＶ放送信号と、地上波デジタルＴＶ放送信号を室内アンテナ経由で直接ＴＶ受信機に入力する直接受信システムによって供給されるＴＶ放送信号とのうち、受信品質の高いＴＶ放送信号を再生できるようになる地上波デジタルＴＶ放送の受信システムを提供することを目的とする。
【課題を解決するための手段】
【００２０】
請求項１に記載の発明は、屋外アンテナで受信した地上波デジタルＴＶ放送信号をＴＶ受信機に無線再送信する無線再配信システム、および地上波デジタルＴＶ放送信号を室内アンテナ経由で直接ＴＶ受信機に入力する直接受信システムを備え、上記ＴＶ受信機は、上記無線再配信システムによって供給されるＴＶ放送信号と、上記直接受信システムによって供給されるＴＶ放送信号のうち、受信品質の高いＴＶ放送信号を選択する選択手段、および上記選択手段によって選択されたＴＶ放送信号を再生する再生手段を備えていることを特徴とする。
【００２１】
請求項２に記載の発明は、請求項１に記載の地上波デジタルＴＶ放送の受信システムにおいて、上記選択手段は、上記無線再配信システムによって供給されるＴＶ放送信号の受信信号レベルと、上記直接受信システムによって供給されるＴＶ放送信号の受信信号レベルとを比較することにより、受信品質の高いＴＶ放送信号を選択するものであることを特徴とする。
【００２２】
請求項３に記載の発明は、請求項１に記載の地上波デジタルＴＶ放送の受信システムにおいて、上記選択手段は、上記無線再配信システムによって供給されるＴＶ放送信号の受信信号誤り率と、上記直接受信システムによって供給されるＴＶ放送信号の受信信号誤り率とを比較することにより、受信品質の高いＴＶ放送信号を選択するものであることを特徴とする。
【００２３】
請求項４に記載の発明は、請求項１乃至３に記載の地上波デジタルＴＶ放送の受信システムにおいて、上記無線再配信システムは、屋外アンテナで受信した地上波デジタルＴＶ放送信号をＶＨＦ帯の空きチャンネルの周波数に周波数変換した後、増幅して無線送信する送信機、および上記送信機から送信される信号を受信して増幅した後、上記ＴＶ受信機に供給する受信機を備えていることを特徴とする。
【００２４】
請求項５に記載の発明は、請求項４に記載の地上波デジタルＴＶ放送の受信システムにおいて、上記送信機は、屋外アンテナで受信した地上波デジタルＴＶ放送信号をＶＨＦ帯の空きチャンネルであって、３２２ＭＨｚ以下の周波数に周波数変換した後、増幅して無線送信するものであることを特徴とする。
【発明の効果】
【００２５】
この発明によれば、屋外アンテナで受信した地上波デジタルＴＶ放送信号をＴＶ受信機に無線再送信する無線再配信システムによって供給されるＴＶ放送信号と、地上波デジタルＴＶ放送信号を室内アンテナ経由で直接ＴＶ受信機に入力する直接受信システムによって供給されるＴＶ放送信号とのうち、受信品質の高いＴＶ放送信号を再生できるようになる。
【発明を実施するための最良の形態】
【００２６】
以下、図面を参照して、この発明の実施例について説明する。
【実施例１】
【００２７】
〔１〕この発明が適用される地上波デジタル放送ＴＶ受信機についての説明
【００２８】
表１は、地上波デジタルＴＶ放送の各受信チャンネルと中心周波数とを示している。
【００２９】
【表１】
2006074268.tif 000003
【００３０】
地上波デジタルＴＶ放送の受信チャンネルは、ＵＨＦ１３ｃｈ〜ＵＨＦ６２ｃｈである。その中心周波数は、１３ｃｈで４７３＋１／７ＭＨｚであり、１４ｃｈで４７９＋１／７ＭＨｚであり、６２ｃｈで７６７＋１／７ＭＨｚである。
【００３１】
地上波デジタルＴＶ放送が導入される周波数帯域は、ＵＨＦ１３チャンネルから６２チャンネルの範囲であることから、地上波デジタル放送ＴＶ受信機の受信周波数範囲として当該周波数が受信できることが必要である。
【００３２】
現在、三大都市圏（関東広域圏、中京広域圏、近畿広域圏）で２００３年１２月より放送が開始されているが、この中の例えば、近畿圏の放送は表２に示すようになっている。      
【００３３】
【表２】
2006074268.tif 000004
【００３４】
一方、現行の地上波アナログＴＶ放送の受信形態は、集合住宅共聴を含めると共同受信が全世帯のほぼ半数を占めている。これら共聴施設における伝送帯域は、ＵＨＦ帯まで広帯域化されていないものが大半であり、ＵＨＦ  ＴＶ放送は、ＶＨＦ＿Ｌｏｗ／Ｈｉｇｈ（ＶＨＦロー／ハイバンド）、ＶＨＦ＿ＭＩＤ（ＶＨＦミッドバンド）およびＶＨＦ＿ＳＨＢ（ＶＨＦスーパーハイバンド）等の低い周波数の空きチャンネル（その地域で放送が行われていないチャンネル）にダウンコンバートして伝送していることが多い。
【００３５】
このため、特に地上波デジタルＴＶ放送用の据え置き型ＴＶ受信機についても、共同受信が想定されるため、地上波デジタル放送用受信機の受信チャンネル範囲については、ＵＨＦ帯に加えて、ＶＨＦ＿Ｌｏｗ／Ｈｉｇｈ帯（ＶＨＦ１ｃｈ〜ＶＨＦ１２ｃｈ）、ＶＨＦ＿ＭＩＤ帯（Ｃ１３ｃｈ〜Ｃ２２ｃｈ）およびＶＨＦ＿ＳＨＢ帯（Ｃ２３ｃｈ〜Ｃ６３ｃｈ）帯にも対応することが望ましいと、ＡＲＩＢ規格  ＡＲＩＢ  ＳＴＤ−Ｂ２１に規定されている。
【００３６】
従って、地上波デジタルＴＶ放送用の据え置き型ＴＶ受信機は、ＵＨＦ帯に加えて、ＶＨＦ＿Ｌｏｗ／Ｈｉｇｈ帯（ＶＨＦ１ｃｈ〜ＶＨＦ１２ｃｈ）、ＶＨＦ＿ＭＩＤ帯（Ｃ１３ｃｈ〜Ｃ２２ｃｈ）およびＶＨＦ＿ＳＨＢ帯（Ｃ２３ｃｈ〜Ｃ６３ｃｈ）をも受信可能となるように設計されていることが多いと考えられる。
【００３７】
表３は、ＶＨＦ＿Ｌｏｗ／Ｈｉｇｈ帯（ＶＨＦ１ｃｈ〜ＶＨＦ１２ｃｈ）の各受信チャンネルと中心周波数とを示している。
【００３８】
【表３】
2006074268.tif 000005
【００３９】
表４は、ＶＨＦ＿ＭＩＤ帯（Ｃ１３ｃｈ〜Ｃ２２ｃｈ）の各受信チャンネルと中心周波数とを示している。
【００４０】
【表４】
2006074268.tif 000006
【００４１】
表５は、ＶＨＦ＿＿ＳＨＢ帯（Ｃ２３ｃｈ〜Ｃ６３ｃｈ）の各受信チャンネルと中心周波数とを示している。
【００４２】
【表５】
2006074268.tif 000007
【００４３】
本発明では、本来のＵＨＦ帯１３ｃｈ〜６２ｃｈ（４７０ＭＨｚ〜７７０ＭＨｚ）の他に、ＶＨＦ＿Ｌｏｗ／Ｈｉｇｈ帯（ＶＨＦ１ｃｈ〜ＶＨＦ１２ｃｈ）、ＶＨＦ＿ＭＩＤ帯（Ｃ１３ｃｈ〜Ｃ２２ｃｈ）およびＶＨＦ＿ＳＨＢ帯（Ｃ２３ｃｈ〜Ｃ６３ｃｈ）をも受信可能（選局視聴可能）な地上波デジタルＴＶ放送用のＴＶ受信機を適用対象としている。
【００４４】
〔２〕微弱電波の規格についての説明
【００４５】
微弱電波の規格について説明する。微弱電波の規格は、発射する電波が著しく微弱な無線設備として、総務省令で定められており、３メートル地点での電界強度で規定されている。
【００４６】
図１および表６は、微弱電波規格で定められた周波数帯に対する電界強度（許容値）を示している。
【００４７】
【表６】
2006074268.tif 000008
【００４８】
表６に示すように、３２２ＭＨｚ以下及び１５０ＧＨｚ以上の周波数帯については、許容値は５００μＶ／ｍに制限されている。また、３２２ＭＨｚから１０ＧＨｚまでの周波数帯については、陸上移動業務、ＵＨＦ  ＴＶ放送、固定業務および宇宙業務（地球局）に対する混信保護を考慮して、許容値は３５μＶ／ｍに制限されている。また、１０ＧＨｚから１５０ＧＨｚまでの周波数帯については、システム雑音温度、受信帯域幅等を考慮して、許容値は３．５ｆμＶ／ｍ（ｆは使用周波数帯（ＧＨｚ））に制限されている。
【００４９】
微弱電波無線規格による無線システムは、表６の電界強度を満足していれば、周波数、変調方式および通信方式に制約がないため、比較的自由なシステム設計が可能である。
【００５０】
〔３〕地上波デジタルＴＶ放送の受信システムについての説明
【００５１】
図２は、地上波デジタルＴＶ放送の受信システムの概要を示している。
【００５２】
屋上に設けられた屋外アンテナ１によって地上波デジタルＴＶ放送信号が受信される。屋外アンテナ１によって受信された地上波デジタルＴＶ放送信号は、アンテナケーブル２によって部屋の壁面に設けられているＴＶ端子３に導かれる。
【００５３】
ＴＶ端子３には、再配信用の送信機４が接続されている。送信機４は、ＴＶ端子３から得られた地上波デジタルＴＶ放送信号を、ＶＨＦ帯（この例では、ＶＨＦ＿ＳＨＢ帯）の空きチャンネルであって、かつ微弱電波規格の制限が緩い３２２ＭＨｚ以下のチャンネルに多重されるように、全ての放送受信チャンネル（地上波デジタルＴＶ放送の受信チャンネル）を一括して周波数変換した後、微弱電波の規格の許容値（５００μＶ／ｍ）以下の微弱電波て送信アンテナ４４から無線で再送信する。
【００５４】
地上波デジタルＴＶ放送用のＴＶ受信機６には、再配信用の受信機５が接続されている。地上波デジタルＴＶ放送用のＴＶ受信機６は、本来のＵＨＦ帯１３ｃｈ〜６２ｃｈ（４７０ＭＨｚ〜７７０ＭＨｚ）の他に、ＶＨＦ＿Ｌｏｗ／Ｈｉｇｈ帯（ＶＨＦ１ｃｈ〜ＶＨＦ１２ｃｈ）、ＶＨＦ＿ＭＩＤ帯（Ｃ１３ｃｈ〜Ｃ２２ｃｈ）およびＶＨＦ＿ＳＨＢ帯（Ｃ２３ｃｈ〜Ｃ６３ｃｈ）をも受信可能（選局視聴可能）なＴＶチューナ（ＶＨＦ受信対応地上デジタル放送ＴＶチューナ）を備えている。
【００５５】
受信機５は、送信機４からの再送信波（ＶＨＦ帯の再送信波）と地上波デジタルＴＶ放送の直接波（ＵＨＦ帯の直接波）を受信するための受信アンテナ５１を備えている。受信機５は、受信アンテナ５１によって受信された再送信波および地上波デジタルＴＶ放送の直接波をＴＶ受信機６に送る。
【００５６】
ＴＶ受信機６では、ＶＨＦ帯の再送信波とＵＨＦ帯の直接波のうち、受信品質の高い方を選択して再生する。
【００５７】
図３は、送信機４の構成を示している。
【００５８】
送信機４は、ＵＨＦ受信部４１、周波数変換部４２、ＶＨＦ送信部４３および送信アンテナ４４を備えている。
【００５９】
屋外アンテナ１によって受信された地上波デジタルＴＶ放送信号は、ＵＨＦ受信部４１によって増幅された後、周波数変換部４２に送られる。周波数変換部４２では、受信された地上波デジタルＴＶ放送信号（受信信号）の全てと、固定周波数で発信する発振部４５からのローカル信号とが、ミキサー４６によって混合される。ミキサー４６からは、各受信信号とローカル信号との加算信号と減算信号とが出力される。例えば、受信信号の周波数をｆａ、ローカル信号の周波数をｆｂとすると、周波数がｆａ＋ｆｂの加算信号と、周波数がｆａ−ｆｂの減算信号とが、ミキサー４６から出力される。ミキサー４６の出力は、フィルタ４７に送られ、減算信号のみが抽出される。
【００６０】
ローカル信号の周波数ｆｂは、ミキサー４６から出力される減算信号の周波数（ｆａ−ｆｂ）が、ＶＨＦ帯（この例では、ＶＨＦ＿ＳＨＢ帯）の空きチャンネルであって、かつ微弱電波規格の制限が緩い３２２ＭＨｚ以下の周波数となるように、設定されている。
【００６１】
地上波デジタルＴＶ放送が行われているチャンネルおよび中心周波数が表２に示されている近畿広域圏においては、ローカル信号の周波数ｆｂは、例えば２２４ＭＨｚに設定される。ローカル信号の周波数ｆｂをこのように設定した場合の、周波数変換後のＶＨＦ送信チャンネル、中心周波数、放送局および対応チャンネルは、表７に示すようになる。
【００６２】
【表７】
2006074268.tif 000009
【００６３】
つまり、図４に示すように、屋外アンテナ１によって受信された地上波デジタルＴＶ放送信号の全チャンネルをＡとすると、地上波デジタルＴＶ放送信号の全チャンネルＡは、周波数変換部４２によって３２２ＭＨｚ以下のＶＨＦ＿ＳＨＢ帯の空きチャンネルＢに周波数変換される。したがって、ＴＶ受信機６において、ＶＨＦ＿ＳＨＢ帯の空きチャンネルＢのいずれかのチャンネルに選局することにより、地上波デジタルＴＶ放送を視聴することができる。
【００６４】
周波数変換部４２によってＶＨＦ＿ＳＨＢ帯に周波数変換された地上波デジタルＴＶ放送信号は、ＶＨＦ送信部４３によって増幅されて、送信アンテナ４４から無線送信される。なお、ＶＨＦ送信部４３では、無線送信される信号レベルが微弱電波規格による許容値を越えないように、ＡＧＣが行われる。
【００６５】
図５は、受信機５およびＴＶ受信機６の構成を示している。
【００６６】
受信機５は、受信アンテナ５１およびＶＨＦ／ＵＨＦ受信部５２を備えている。
【００６７】
受信アンテナ５１によって送信機４からの再送信波（ＶＨＦ帯の再送信波）と地上波デジタルＴＶ放送の直接波（ＵＨＦ帯の直接波）が受信される。受信アンテナ５１によって受信されたＶＨＦ帯の再送信波およびＵＨＦ帯の直接波は、ＶＨＦ／ＵＨＦ受信部５２によって増幅された後、ＴＶ受信機６に送られる。
【００６８】
ＴＶ受信機６は、ＶＨＦ／ＵＨＦデュプレクサ６０と、２つの受信系統とを備えている。各受信系統は、ＲＦ／ＩＦ部６１、７１とＯＦＤＭ復調部６２，７２とを備えている。      
【００６９】
ＴＶ受信機６側において、ユーザは、リモコン送信機７によって希望する地上波デジタルＴＶ放送のチャンネル（ＵＨＦチャンネル）を指定する。リモコン送信機７によって指定されたＵＨＦチャンネルは、リモコン受信部８６を介して制御部８５に入力される。制御部８５は、上記表７に示すようなＵＨＦチャンネルとそれに対応するＶＨＦチャンネル（ＶＨＦ＿ＳＨＢの空きチャンネル）との関係を示すテーブルに基づいて、入力されたＵＨＦチャンネルに対応するＶＨＦチャンネルを取得する。
【００７０】
制御部８５は、第１のＲＦ／ＩＦ部６１については、指定されたＵＨＦチャンネルに対応するＶＨＦチャンネルを選局するように制御し、第２のＲＦ／ＩＦ部７１については、指定されたＵＨＦチャンネルを選局するように制御する。
【００７１】
ＴＶ受信機６に入力されたＶＨＦ帯の再送信波およびＵＨＦ帯の直接波は、ＶＨＦ／ＵＨＦデュプレクサ６０に送られる。ＶＨＦ／ＵＨＦデュプレクサ６０では、ＶＨＦ帯の再送信波とＵＨＦ帯の直接波とが干渉しないように周波数分離される。ＶＨＦ／ＵＨＦデュプレクサ６０によって得られたＶＨＦ帯の再送信波は、第１のＲＦ／ＩＦ部６１に送られ、ＶＨＦ／ＵＨＦデュプレクサ６０によって得られたＵＨＦ帯の直接波は、第２のＲＦ／ＩＦ部７１に送られる。
【００７２】
第１のＲＦ／ＩＦ部６１は、指定されたＵＨＦチャンネルに対応するＶＨＦチャンネルのＴＶ放送信号（再送信波信号）をベースバンド信号にダウンコンバートする。第１のＲＦ／ＩＦ部６１によって得られた信号は、第１のＯＦＤＭ復調部６２によってデジタル復調された後、切替えスイッチ８１の第１入力端子に送られるとともにＶＨＦチャンネルレベル検出部６３に送られる。ＶＨＦチャンネルレベル検出部６３は、第１のＯＦＤＭ復調部６２によって得られた所定のＶＨＦチャンネルの受信信号のレベルを検出して、制御部８５に与える。
【００７３】
第２のＲＦ／ＩＦ部７１は、指定されたＵＨＦチャンネルのＴＶ放送信号（直接波信号）をベースバンド信号にダウンコンバートする。第２のＲＦ／ＩＦ部７１によって得られた信号は、第２のＯＦＤＭ復調部７２によってデジタル復調された後、切替えスイッチ８１の第２入力端子に送られるとともにＵＨＦチャンネルレベル検出部７３に送られる。ＵＨＦチャンネルレベル検出部７３は、第２のＯＦＤＭ復調部７２によって得られた所定のＵＨＦチャンネルの受信信号のレベルを検出して、制御部８５に与える。
【００７４】
制御部８５は、ＶＨＦチャンネルレベル検出部６３から与えられたＶＨＦチャンネルの受信信号レベルと、ＵＨＦチャンネルレベル検出部７３から与えられたＵＨＦチャンネルの受信信号レベルとを比較し、その比較結果に基づいて、切替えスイッチ８１を制御する。つまり、ＶＨＦチャンネルの受信信号レベルがＵＨＦチャンネルの受信信号レベルより大きい場合には、ＶＨＦチャンネルの受信信号が選択されるように切替えスイッチ８１を制御し、逆に、ＵＨＦチャンネルの受信信号レベルがＶＨＦチャンネルの受信信号レベルより大きい場合には、ＵＨＦチャンネルの受信信号が選択されるように切替えスイッチ８１を制御する。
【００７５】
切替えスイッチ８１によって選択された受信信号は、ＡＶ復号部８２に送られる。ＡＶ復号部８２では、受信信号が復号され、映像信号と音声信号とが再生される。再生された映像信号は、表示部（モニタ）８３に送られ、再生された音声信号はスピーカ８４に送られる。
【００７６】
なお、２系統のＲＦ／ＩＦ部６１，７１がそれぞれ、Ｖ対応（ＶＨＦフィルタ付き）、Ｕ対応（ＵＨＦフィルタ付き）であれば、ＴＶ受信機６に入力されたＴＶ放送信号（ＶＨＦ帯の再送信波およびＵＨＦ帯の直接波）を２系統のＲＦ／ＩＦ部６１，７１に単に分配すればよい。
【実施例２】
【００７７】
図６は、ＴＶ受信機の変形例を示している。
【００７８】
図６において、図５と同じものには、同じ符号を付してその説明を省略する。
【００７９】
図５のＴＶ受信機では、指定されたＵＨＦチャンネルに対応するＶＨＦチャンネルの受信信号レベルと、指定されたＵＨＦチャンネルの受信信号レベルを比較することにより、切替えスイッチ８１が制御されている。
【００８０】
これに対して、図６のＴＶ受信機６Ａでは、指定されたＵＨＦチャンネルに対応するＶＨＦチャンネルの受信信号の誤り率と、指定されたＵＨＦチャンネルの受信信号の誤り率を比較することにより、切替えスイッチ８１が制御される。
【００８１】
第１のＯＦＤＭ復調部６２の誤り率がＶＨＦチャンネル誤り率検出部６４によって検出される。また、第２のＯＦＤＭ復調部７２の誤り率がＵＨＦチャンネル誤り率検出部７４によって検出される。両誤り率検出部６４、７４によって検出された誤り率は、制御部８５に与えられる。
【００８２】
制御部８５は、ＶＨＦチャンネル誤り率検出部６４から与えられたＶＨＦチャンネルの受信信号の誤り率と、ＵＨＦチャンネル誤り率検出部７４から与えられたＵＨＦチャンネルの受信信号の誤り率とを比較し、その比較結果に基づいて、切替えスイッチ８１を制御する。つまり、ＶＨＦチャンネルの受信信号の誤り率がＵＨＦチャンネルの受信信号の誤り率より低い場合には、ＶＨＦチャンネルの受信信号が選択されるように切替えスイッチ８１を制御し、逆に、ＵＨＦチャンネルの受信信号の誤り率がＶＨＦチャンネルの受信信号の誤り率より低い場合には、ＵＨＦチャンネルの受信信号が選択されるように切替えスイッチ８１を制御する。
【実施例３】
【００８３】
図７は、ＴＶ受信機の変形例を示している。
【００８４】
図７において、図５と同じものには、同じ符号を付してその説明を省略する。
【００８５】
このＴＶ受信機では、１つの受信系統のみを備えている。受信系統は、ＲＦ／ＩＦ部６１とＯＦＤＭ復調部６２とを備えている。ＴＶ受信機６に入力されたＶＨＦ帯の再送信波およびＵＨＦ帯の直接波は、ＲＦ／ＩＦ部６１に送られる。
【００８６】
ＴＶ受信機６側において、ユーザは、リモコン送信機７によって希望する地上波デジタルＴＶ放送のチャンネル（ＵＨＦチャンネル）を指定する。リモコン送信機７によって指定されたＵＨＦチャンネルは、リモコン受信部８６を介して制御部８５に入力される。制御部８５は、上記表７に示すようなＵＨＦチャンネルとそれに対応するＶＨＦチャンネル（ＶＨＦ＿ＳＨＢの空きチャンネル）との関係を示すテーブルに基づいて、入力されたＵＨＦチャンネルに対応するＶＨＦチャンネルを取得する。
【００８７】
制御部８５は、初期設定時（例えば、電源投入時）に、まず、ＲＦ／ＩＦ部６１を、指定されたＵＨＦチャンネルに対応するＶＨＦチャンネルを選局するように制御する。したがって、ＲＦ／ＩＦ部６１は、指定されたＵＨＦチャンネルに対応するＶＨＦチャンネルのＴＶ放送信号（再送信波信号）をベースバンド信号にダウンコンバートする。ＲＦ／ＩＦ部６１によって得られた信号は、ＯＦＤＭ復調部６２によってデジタル復調された後、ＡＶ復号部８２に送られるとともにＶＨＦ／ＵＨＦチャンネルレベル検出部６３Ａに送られる。ＶＨＦ／ＵＨＦチャンネルレベル検出部６３Ａは、ＯＦＤＭ復調部６２によって得られたＶＨＦチャンネルの受信信号のレベルを検出して、制御部８５に与える。制御部８５は、このＶＨＦチャンネルの受信信号のレベルを記憶する。
【００８８】
この後、制御部８５は、ＲＦ／ＩＦ部６１を、指定されたＵＨＦチャンネルを選局するように制御する。したがって、ＲＦ／ＩＦ部６１は、指定されたＵＨＦチャンネルのＴＶ放送信号（直接波信号）をベースバンド信号にダウンコンバートする。ＲＦ／ＩＦ部６１によって得られた信号は、ＯＦＤＭ復調部６２によってデジタル復調された後、ＡＶ復号部８２に送られるとともにＶＨＦ／ＵＨＦチャンネルレベル検出部６３Ａに送られる。ＶＨＦ／ＵＨＦチャンネルレベル検出部６３Ａは、ＯＦＤＭ復調部６２によって得られたＵＨＦチャンネルの受信信号のレベルを検出して、制御部８５に与える。制御部８５は、このＵＨＦチャンネルの受信信号のレベルと、その前に記憶したＶＨＦチャンネルの受信信号のレベルとを比較する。そして、信号レベルの高い方のチャンネル（ＶＨＦチャンネルまたはＵＨＦチャンネル）を選局するように、ＲＦ／ＩＦ部６１を制御する。
【００８９】
このようにして、初期設定時にＴＶ受信機６に入力されたＶＨＦ帯の再送信波およびＵＨＦ帯の直接波のうちから、再生を行う受信波を選択設定する。受信波選択設定後においては、受信ができなくなったり、電源がオフされるまで、その設定が維持される。
【実施例４】
【００９０】
図８は、ＴＶ受信機の変形例を示している。
【００９１】
図８において、図７と同じものには、同じ符号を付してその説明を省略する。
【００９２】
図８のＴＶ受信機では、図７のＴＶ受信機のＶＨＦ／ＵＨＦチャンネルレベル検出部６３Ａの代わりにＶＨＦ／ＵＨＦチャンネル誤り率検出部６３Ｂが用いられている点のみが異なっている。
【００９３】
制御部８５は、初期設定時（例えば、電源投入時）に、まず、ＲＦ／ＩＦ部６１を、指定されたＵＨＦチャンネルに対応するＶＨＦチャンネルを選局するように制御する。したがって、ＲＦ／ＩＦ部６１は、指定されたＵＨＦチャンネルに対応するＶＨＦチャンネルのＴＶ放送信号（再送信波信号）をベースバンド信号にダウンコンバートする。ＲＦ／ＩＦ部６１によって得られた信号は、ＯＦＤＭ復調部６２によってデジタル復調された後、ＡＶ復号部８２に送られるとともにＶＨＦ／ＵＨＦチャンネル誤り率検出部６３Ｂに送られる。ＶＨＦ／ＵＨＦチャンネル誤り率検出部６３Ｂは、ＯＦＤＭ復調部６２によって得られたＶＨＦチャンネルの受信信号の誤り率を検出して、制御部８５に与える。制御部８５は、このＶＨＦチャンネルの受信信号の誤り率を記憶する。
【００９４】
この後、制御部８５は、ＲＦ／ＩＦ部６１を、指定されたＵＨＦチャンネルを選局するように制御する。したがって、ＲＦ／ＩＦ部６１は、指定されたＵＨＦチャンネルのＴＶ放送信号（直接波信号）をベースバンド信号にダウンコンバートする。ＲＦ／ＩＦ部６１によって得られた信号は、ＯＦＤＭ復調部６２によってデジタル復調された後、ＡＶ復号部８２に送られるとともにＶＨＦ／ＵＨＦチャンネル誤り率検出部６３Ｂに送られる。ＶＨＦ／ＵＨＦチャンネル誤り率検出部６３Ｂは、ＯＦＤＭ復調部６２によって得られたＵＨＦチャンネルの受信信号の誤り率を検出して、制御部８５に与える。制御部８５は、このＵＨＦチャンネルの受信信号の誤り率と、その前に記憶したＶＨＦチャンネルの受信信号の誤り率とを比較する。そして、誤り率の低い方のチャンネル（ＶＨＦチャンネルまたはＵＨＦチャンネル）を選局するように、ＲＦ／ＩＦ部６１を制御する。
【００９５】
このようにして、初期設定時にＴＶ受信機６に入力されたＶＨＦ帯の再送信波およびＵＨＦ帯の直接波のうちから、再生を行う受信波を選択設定する。受信波選択設定後においては、受信ができなくなったり、電源がオフされるまで、その設定が維持される。
【図面の簡単な説明】
【００９６】
【図１】微弱電波規格で定められた周波数帯に対する電界強度（許容値）を示すグラフである。
【図２】地上波デジタルＴＶ放送の無線再配信システムの概要を示す模式図である。
【図３】送信機の構成を示すブロック図である。
【図４】図３の周波数変換部４２の周波数変換を説明するための模式図である。
【図５】受信機およびＴＶ受信機の構成を示すブロック図である。
【図６】ＴＶ受信機の他の例を示すブロック図である。
【図７】ＴＶ受信機のさらに他の例を示すブロック図である。
【図８】ＴＶ受信機のさらに他の例を示すブロック図である。
【符号の説明】
【００９７】
１  屋外アンテナ
４  送信機
５  受信機
６、６Ａ  ＴＶ受信機
４１  ＵＨＦ受信部
４２  周波数変換部
４３  ＶＨＦ送信部
４４  送信アンテナ
５１  受信アンテナ
５２  ＶＨＦ／ＵＨＦ受信部
６０  ＶＨＦ／ＵＨＦデュプレクサ
６１、７１  ＲＦ／ＩＦ部
６２、７２  ＯＦＤＭ復調部
６３、７３  レベル検出部
６４、７４  誤り率検出部
８５  制御部
６３Ａ  ＶＨＦ／ＵＨＦチャンネルレベル検出部
６３Ｂ  ＶＨＦ／ＵＨＦチャンネル誤り率検出部
【図１】
2006074268.tif 000010
【図２】
2006074268.tif 000011
【図３】
2006074268.tif 000012
【図４】
2006074268.tif 000013
【図５】
2006074268.tif 000014
【図６】
2006074268.tif 000015
【図７】
2006074268.tif 000016
【図８】
2006074268.tif 000017